(57)【特許請求の範囲】
【請求項１】
肌当接面を形成する表面シート、非肌当接面を形成する裏面シート、及び両シート間に介在配置された液保持性の吸収性コアを具備する実質的に縦長の吸収性物品であって、
前記吸収性コアは、個々に独立した複数の吸収部材を含んで構成されており、
複数の前記吸収部材は、少なくとも一方向に所定間隔を置いて配置され、隣接する該吸収部材の間に隙間が物品長手方向に延びて形成されており、該隙間は、少なくとも前記吸収性物品の幅方向中央領域に存しており、
前記吸収性物品の肌当接面側から前記隙間を介して前記裏面シートの色彩が視認可能になされており、
前記吸収性物品の肌当接面を目視したときに前記隙間を介して視認される、前記裏面シートの色調が、該隙間全体で一様ではなく、その隙間全体で一様ではない色調は、前記裏面シートに施された個々に独立した多数の図柄によるものであり、該多数の図柄は、前記物品長手方向と交差する方向に多列に配置されている吸収性物品。
【請求項２】
前記多数の図柄における隣接する２個の図柄の間隔は、１個の前記吸収部材の幅よりも狭く形成されている請求項１記載の吸収性物品。
【請求項３】
前記隙間は、前記吸収性コアの物品幅方向の全長に亘って連続しており、且つ前記多数の図柄は、該物品幅方向に所定間隔を置いて列をなすように配置されている請求項１又は２記載の吸収性物品。
【請求項４】
複数の前記吸収部材は、伸縮性を有する基盤シートの一面に固定されており、該基盤シートを伸縮させることによって、前記隙間が拡縮可能になされている請求項１〜３の何れか一項に記載の吸収性物品。
【請求項５】
使用時に使用者の排泄部と対向する排泄部対向部を有し、前記裏面シートの色彩は、該裏面シートにおける該排泄部対向部に対応する部分よりも、該部分の周囲の方が相対的に濃い請求項１〜４の何れか一項に記載の吸収性物品。
【発明の詳細な説明】
【技術分野】
【０００１】
本発明は、生理用ナプキン、使い捨ておむつ、パンティライナー（おりものシート）、失禁パッド等の吸収性物品に関する。
【背景技術】
【０００２】
生理用ナプキン等の吸収性物品として、表面シート、裏面シート及び両シート間に介在配置された液保持性の吸収体を具備し、実質的に縦長のものが知られている。また、斯かる構成の吸収性物品において、装着性の向上等を目的として、吸収体の存在領域（吸収性物品の中央領域）に、吸収体が存在しないか又は吸収体の肉厚を薄くした薄肉部を形成することが知られている（例えば特許文献１参照）。
【０００３】
また、吸収性物品の所定部位に、印刷等により外部から視認可能な色彩や図柄を施すことが知られている。例えば特許文献２には、表面シート若しくは吸収性コアの一部、又は表面シートと吸収体との間に配置された挿入物が着色されており、その着色部分が少なくとも異なる二つの色調を有し且つ表面シート側から視認可能な吸収性物品が記載されている。特許文献２に記載の吸収性物品によれば、使用者が該吸収性物品の表面シート側を見たときに、着色部分の色調が作用して該吸収性物品内に深みの知覚が創り出され、これにより、分泌物が該吸収性物品の内側深くに引っ張られて使用者の体から離れることで、使用者は該吸収性物品の使用前及び使用中に安心感を得ることができるとされている。
【０００４】
また特許文献３には、吸収体の周縁よりも外方に位置する外側領域における、裏面シートの肌当接面側（吸収体との対向面側）又は表面シートの非肌当接面側（着用者の衣類との対向面側）に、印刷されたグラフィック（記号若しくは文字、又は少なくとも２つの色の差若しくは変化などにより構成されるイメージ又はデザイン）を有し、該グラフィックが表面シート側から視認可能になされている吸収性物品が記載されている。特許文献３に記載の吸収性物品によれば、グラフィックを見た使用者に感情的な効果を与え、使用者の憂鬱な気分を軽減することができるとされている。
【０００５】
また特許文献４には、表面シート、裏面シート及び両シート間に介在配置された吸収体を具備するナプキン本体と、該ナプキン本体を該裏面シートが外側となる状態に畳んで包装した包装シートとを具備する包装生理用ナプキンにおいて、前記裏面シートの吸収体面側全体に図柄を印刷し、該図柄を外面側から透かして見えるようにすると共に、前記包装シートを透して前記裏面シートに設けた図柄を視認できるように前記包装シートの透明度を設定した包装生理用ナプキンが記載されている。特許文献４に記載の包装生理用ナプキンによれば、吸収体が吸収した経血のシミを図柄でカムフラージュすることができると共に、包装を解く前後の状態においてその図柄を外に見せることができて外観をカムフラージュすることができるとされている。
【先行技術文献】
【特許文献】
【０００６】
【特許文献１】特許第３５５８８０１号公報
【特許文献２】特開２００５−５１２６８２号公報
【特許文献３】特開２００５−５２３１３９号公報
【特許文献４】特許第３８６２５６７号公報
【発明の概要】
【発明が解決しようとする課題】
【０００７】
生理用ナプキン等の吸収性物品は、適切な位置に装着されて初めてその効果が十分に発揮される。しかし、従来の吸収性物品には、一見して前後が判別し難いものが少なく無く、装着時の位置合わせにおいてミスを誘発し、漏れを起こし易いものが多かった。特許文献２〜４に記載されている技術は、主として、使用者に液吸収性等の機能が強化されていることを認識させて防漏性に対して安心感を与える、あるいは吸収した経血等の排泄液の隠蔽性の向上を目的として、吸収性物品の所定部位に印刷等により外部から視認可能な色彩や図柄を施す技術であり、装着時の位置合わせの点では改良の余地があった。
【０００８】
従って本発明の課題は、裏面シートの色彩が肌当接面側から視認可能になされていることによって、装着時の位置合わせが容易になされている吸収性物品を提供することにある。
【課題を解決するための手段】
【０００９】
本発明は、肌当接面を形成する表面シート、非肌当接面を形成する裏面シート、及び両シート間に介在配置された液保持性の吸収性コアを具備する実質的に縦長の吸収性物品であって、前記吸収性コアは、個々に独立した複数の吸収部材を含んで構成されており、複数の前記吸収部材は、少なくとも一方向に所定間隔を置いて配置され、隣接する該吸収部材の間に隙間が物品長手方向に延びて形成されており、該隙間は、少なくとも前記吸収性物品の幅方向中央領域に存しており、前記吸収性物品の肌当接面側から前記隙間を介して前記裏面シートの色彩が視認可能になされている吸収性物品を提供することにより、前記課題を解決したものである。
【発明の効果】
【００１０】
本発明の吸収性物品によれば、裏面シートの色彩が肌当接面側から視認可能になされていることによって、装着時の位置合わせを容易に行うことができ、また、使用者にフィット性や防漏性等の機能に対する安心感を与えることができる。
【図面の簡単な説明】
【００１１】
【図１】図１は、本発明の吸収性物品の第１実施形態である生理用ナプキンの肌当接面側（表面シート側）を模式的に示す平面図である。
【図２】図２は、図１のＩ−Ｉ線断面を模式的に示す断面図である。
【図３】図３は、図１に示すナプキンが備えている裏面シートの一面（肌当接面）を模式的に示す平面図である。
【図４】図４は、本発明の吸収性物品の第２実施形態である生理用ナプキンが備えている裏面シートの一面（肌当接面）を模式的に示す平面図である。
【図５】図５は、本発明の吸収性物品の第３実施形態である生理用ナプキンの肌当接面側（表面シート側）を模式的に示す平面図である。
【図６】図６は、図５に示すナプキンが備えている吸収性コアの一面（肌当接面）を模式的に示す斜視図である。
【図７】図７は、図６のＩＩ−ＩＩ線断面の一部を模式的に示す断面図である。
【図８】図８（ａ）及び図８（ｂ）は、それぞれ、図６に示す吸収性コアの伸縮状態を示す模式図である。
【図９】図９は、図６に示す吸収性コアを平面視したときの吸収部材と固定部との位置関係を示す説明図である。
【図１０】図１０は、本発明の吸収性物品の第３実施形態である生理用ナプキンが備えている裏面シートの一面（肌当接面）を模式的に示す平面図である。
【発明を実施するための形態】
【００１２】
以下、本発明の吸収性物品を、その好ましい一実施形態である生理用ナプキンに基づき図面を参照して説明する。第１実施形態のナプキン１は、図１及び図２に示すように、肌当接面を形成する表面シート２、非肌当接面を形成する裏面シート３、及びこれら両シート２，３間に介在された液保持性の吸収性コア４を具備し、実質的に縦長の形状（図１に示す如き平面視において一方向に長い形状）をしている。
【００１３】
尚、本明細書において、肌当接面は、生理用ナプキン（吸収性物品）又はその構成部材における、生理用ナプキンの装着時に装着者の肌側に向けられる面であり、非肌当接面は、生理用ナプキン又はその部材における、生理用ナプキンの装着時に肌側とは反対側（衣類側）に向けられる面である。また、長手方向は、生理用ナプキン又はその構成部材の長辺に沿う方向であり、幅方向は、該長手方向と直交する方向である。図中、符号Ｘで示す方向は、物品長手方向（ナプキン長手方向）であり、符号Ｙで示す方向は、物品幅方向（ナプキン幅方向）である。
【００１４】
表面シート２及び裏面シート３は、吸収性コア４よりも大きな寸法を有し、吸収性コア４の周縁から延出し、それらの延出部の端部において互いにヒートシール等により接合されてエンドシール部を形成している。裏面シート３の非肌当接面３ｂ（ナプキン１の非肌当接面）の所定箇所（例えば吸収性コア４の下方、特に中央領域）には、ナプキン１を下着等の着衣に固定する粘着部（図示せず）が設けられている。該粘着部は、ホットメルト粘着剤等を所定箇所に塗布することにより設けられており、ナプキン１の使用前においてはフィルム、不織布、紙などからなる剥離シート（図示せず）によって被覆されている。
【００１５】
吸収性コア４は、図１に示すように、個々に独立した複数（第１実施形態では５個）の吸収部材４０を含んで構成されている。吸収部材４０は、平面視においてナプキン長手方向Ｘに延びる帯状をしており、ナプキン１の長手方向の前端近傍から中央部を跨いで後端近傍に亘って連続的に延びている。複数の吸収部材４０は、ナプキン幅方向Ｙに所定間隔Ｗ１を置いて配置され、隣接する吸収部材４０，４０の間に隙間４１がナプキン長手方向Ｘに延びて形成されている。各隙間４１は、吸収性コア４のナプキン長手方向Ｘの全長に亘って連続している。隙間４１は、少なくともナプキン１の幅方向中央領域に存している。ここで、ナプキン１（吸収性物品）の幅方向中央領域は、ナプキン１の長手方向Ｘに沿う両側縁１ｓ，１ｓから等距離離間した位置において長手方向Ｘに延びる中心線（ナプキン１をナプキン幅方向Ｙに二分する中心線）を中心として、幅方向Ｙの２５ｍｍ以内の領域（前記中心線より左右両側へ各々１２．５ｍｍの範囲の領域）である。ナプキン１の幅方向中央領域で且つナプキン１の長手方向中央部又はその近傍には、ナプキン１の使用時に使用者の排泄部と対向する、排泄部対向部（図示せず）が存しており、吸収部材４０及び隙間４１は、該排泄部対向部を跨いでナプキン長手方向Ｘに延びている。
【００１６】
このように、本発明に係る吸収性コアは、個々に独立した複数の吸収部材を含み且つ隣接する吸収部材間に隙間が形成されている、吸収部材の集合体である。吸収性コアがこのような隙間を有する吸収部材の集合体であると、当該技術分野で通常使用されている、隙間を実質的に有していない吸収性コアに比して、装着違和感が少なく、身体の形状や動きへの追従性に優れる。
【００１７】
尚、本発明に係る吸収性コアにおける吸収部材間の隙間には、第１実施形態のように、１）該隙間に吸収性コアの構成部材が含まれていない形態のみならず、後述する第３実施形態のように、２）該隙間に吸収部材以外の吸収性コアの構成部材（第３実施形態では基盤シート６５）が含まれているが、該隙間が存している部分の該吸収性コアの厚みＴ１が、該吸収部材が存している部分の該吸収性コアの厚みＴ２よりも小さい形態も含まれる。即ち、本発明に係る吸収性コアは、構成部材が存在しないか又は厚みが該吸収性コアの他の部分に比して小さい、薄肉部を含んでいるとも言え、該薄肉部が前記隙間である。前記２）の形態において、厚みＴ１とＴ２との比（Ｔ１／Ｔ２）は、好ましくは０．０１〜０．２、更に好ましくは０．０５〜０．１５である。
【００１８】
吸収性コア４を構成する吸収部材４０としては、当該技術分野において従来用いられている各種のものを特に制限なく用いることができ、例えば、Ａ）木材パルプ、合繊繊維等の親水性繊維からなる繊維集合体、Ｂ）該繊維集合体に粒子状の高吸水性樹脂を保持させたもの、Ｃ）粒子状の高吸水性樹脂の集合体、等を用いることができる。前記Ａ）及びＢ）は公知の方法により製造することができる。前記Ｃ）を吸収部材として含む吸収性コアとしては、例えば、相対向する透水性のシート間に、高吸水性樹脂が介在配置された構成の吸収性コアが挙げられる。これらＡ）〜Ｃ）の中でも特にＢ）が好ましい。また、吸収性能等の観点から、各吸収部材４０の坪量は、好ましくは１００〜５００ｇ／ｍ2、更に好ましくは１５０〜３５０ｇ／ｍ2である。
【００１９】
吸収性コア４において、隣接する吸収部材４０，４０間の間隔Ｗ１（隙間４１の幅）は、好ましくは０．５〜１０ｍｍ、更に好ましくは２〜５ｍｍである。
また、吸収部材４０の幅Ｗ２は、好ましくは５〜２５ｍｍ、更に好ましくは１０〜２０ｍｍである。
また、間隔Ｗ１と幅Ｗ２との比（Ｗ１／Ｗ２）は、好ましくは０．１〜１、更に好ましくは０．２〜０．８である。
また、ナプキン長手方向Ｘに延びる帯状の吸収部材４０の、ナプキン幅方向Ｙの単位長さ（７ｃｍ）当たりの個数は、好ましくは３〜１０個、更に好ましくは５〜７個である。
【００２０】
複数の吸収部材４０の集合体からなる吸収性コア４は、図１に示すように、平面視において、該集合体全体として、角が丸みを帯びた略矩形形状をしている。吸収性コア４は、図２に示すように、その略全体がコアラップシート５で被覆されており、吸収性コア４を構成する複数の吸収部材４０の全部が、コアラップシート５で一体的に被覆されている。第１実施形態においては、吸収性コア４の上面（肌当接面）、下面（非肌当接面）及び両側面は、それぞれ、その全域がコアラップシート５で被覆されているが、吸収性コア４（吸収部材４０）のナプキン長手方向Ｘの両端面は、その全域又は一部がコアラップシート５で被覆されていない。但し、本発明においては、吸収性コア４のナプキン長手方向Ｘの両端面の全域がコアラップシート５で被覆されていても良い。コアラップシート５としては、当該技術分野において吸収性コア４を被覆するシートとして通常使用されているものを適宜使用することができ、液透過性のものが好ましく、例えば、ティッシュペーパー等の紙や各種不織布、開孔フィルム等を用いることができる。但し、後述するように、コアラップシート５（表面シート２と吸収性コア４との間に位置するコアラップシート５）としては透明性の高いものが好ましい。
【００２１】
第１実施形態においては、コアラップシート５は、吸収性コア４のナプキン幅方向Ｙの長さ（幅）の２倍以上３倍以下の幅を有する１枚のシートからなる。コアラップシート５で被覆された吸収性コア４は、例えば、次のようにして得られる。即ち、１枚のコアラップシート５の幅方向中央部に吸収性コア４（複数の吸収部材４０）を載置し、該シート５の幅方向両側部を吸収性コア４の上面側に折り返し、吸収性コア４の幅方向中央部で該シート５の幅方向両側縁部どうしを重ね合わせ、接着剤やヒートシール等の接合手段で接合して筒状に形成することにより、吸収性コア４の略全体を該シート５で被覆することができる。
【００２２】
尚、本発明に係るコアラップシートによる吸収性コアの被覆形態は、第１実施形態の如き、１枚の連続したコアラップシートを用いた形態に制限されず、複数枚のコアラップシートを用いた形態でも良い。例えば、２枚のコアラップシートを用い、一方のコアラップシートで吸収性コア４の上面の全域を被覆し、他方のコアラップシートで該吸収性コア４の下面の全域を被覆し、且つ両シートあるいは一方のシートにおける、吸収性コア４の両側縁からの延出部で該吸収性コア４の両側面を被覆しても良い。
【００２３】
吸収性コア４（吸収部材４０）とこれを被覆するコアラップシート５との間は、所定部位（例えば、吸収性コア４の上面及び／又は下面）において、接着剤やヒートシール等の接合手段により接合されていても良い。また、後述する、隙間４１を介しての裏面シート３の視認性の向上の観点から、吸収性コア４を被覆するコアラップシート５と表面シート２及び裏面シート３それぞれとの間は、該接合手段により接合されていることが好ましい。特に、隙間４１の下方において、吸収性コア４を被覆するコアラップシート５と裏面シート３とは該接合手段により接合されていることが好ましい。該接合手段は、コアラップシート５と裏面シート３との間における、各隙間４１に対応する部分の全体に連続的に配しても良く、あるいは各隙間４１に沿って所定間隔を置いて離散的に配しても良い。
【００２４】
第１実施形態においては、ナプキン１の肌当接面（表面シート２の肌当接面２ａ）側から隙間４１を介して裏面シート３の色彩が視認可能になされている。即ち、ナプキン１における、裏面シート３の肌当接面３ａよりも上方に位置する部分（ナプキン１の装着時において肌当接面３ａよりも使用者の肌側に近い部分）で且つナプキン１の平面視において隙間４１と重なる部分は、ナプキン１の肌当接面側から隙間４１を介して裏面シート３の色彩を目視により視認可能な透明性を有している。以下に、斯かる透明性に関連する、ナプキン１の具体的構成について説明する。
【００２５】
表面シート２は、ナプキン１に前記透明性を付与する観点から、透明性の高いものが好ましい。表面シート２の透明性は、透明度ＴPによって評価することができ、透明度ＴPの値が大きいほど、透明性が高く、シースルー効果が高い。表面シート２の透明度ＴPは２０〜８０、特に４０〜７０であることが好ましい。透明度ＴPは、下記測定方法によって測定される背黒色値ＬB、背白色値ＬW及び黒色測定値Ｌ0を用い、下記（式１）によって算出される。
（式１）  透明度ＴP＝｛（ＬW−Ｌ0）／（ＬW−ＬB）｝×１００
【００２６】
＜背黒色値ＬB、背白色値ＬW及び黒色測定値Ｌ0の測定方法＞
１．測定装置の調整
測定には、日本電色工業（株）のハンディ型簡易分光色差計ＮＦ３３３を操作法ペンタイプで使用した。光源としてＣ２を用いた。ＮＦ３３３のペンタイプセンサーの先端部分においてはφ８ｍｍの先端径を選択し、これを測定装置とした。φ８ｍｍの先端径でのＮＦ３３３に付属の標準板における測定において、白色基準板の測定値は、Ｌ*値９６、ａ*値−１、ｂ*値２であり、黒色基準板の測定値は、Ｌ*値０、ａ*値０、ｂ*値６であった。これらの測定値は、何れも３回測定の平均値である。
【００２７】
２．測定の手順
以下の手順で背黒色値ＬB、背白色値ＬW及び黒色測定値Ｌ0を測定する。前記分光色差計ＮＦ３３３のペンタイプセンサー（ＮＦ３３３に付属のターゲットプレートを使用。該ターゲットプレートの使用により測定位置を決定し易くなる。）の先端部分に、分光色差計ＮＦ３３３に付属の標準黒色板を当ててＬ*値を３回測定し、それらの平均値を背黒色値ＬB（値０）とした。また、標準黒色板に代えて、分光色差計ＮＦ３３３に付属の標準白色板を用いた以外は前記と同様にしてＬ*値を３回測定し、それらの平均値を背白色値ＬW（値９６）とした。次いで、標準黒色板上に測定サンプル（表面シート）を配置し、該測定サンプルに、ペンタイプセンサーの先端部分を当ててＬ*値を３回測定し、それらの平均値を黒色測定値Ｌ0とした。
【００２８】
また、前記と同様の観点から、表面シート２と吸収性コア４との間に位置するコアラップシート５（吸収性コア４の肌当接面を被覆するコアラップシート）は、透明性の高いものが好ましく、より具体的には、透明度ＴPが１５〜８０、特に２０〜６０であることが好ましい。一方、裏面シート３と吸収性コア４との間に位置するコアラップシート５（吸収性コア４の非肌当接面を被覆するコアラップシート）も、透明性が高いものが好ましく、その透明度ＴPは、表面シート２と吸収性コア４との間に位置するコアラップシートの透明度ＴPと同じにすることができるが、該コアラップシートよりも透明性が低くても構わない。
【００２９】
表面シート２としては、透明度ＴPが前記範囲内にあり且つ液透過性のものが好ましい。表面シート２として好適なものは、例えば、不織布や樹脂フィルムに貫通孔を形成した開孔シート、特願２００９−２３９８４６に記載の熱伸長性繊維を用いた不織布、２．２ｄｔｅｘ以上の繊維径で二酸化チタンの配合量が０．５％以下である繊維によるエアスルー不織布等である。表面シート２の厚み及び坪量は、それぞれ、前記透明性と強度とのバランス等を考慮して適宜設定することができる。表面シート２の無荷重下における厚みは、好ましくは０．３〜１ｍｍ、更に好ましくは０．４〜０．８ｍｍである。表面シート２の坪量は、好ましくは１５〜４０ｇ／ｍ2、更に好ましくは２０〜３０ｇ／ｍ2である。
【００３０】
コアラップシート５（表面シート２と吸収性コア４との間に位置するコアラップシート５）としては、透明度ＴPが前記範囲内にあり且つ液透過性のものが好ましい。コアラップシート５として好適なものは、例えば、開孔のないエアスルー不織布やスパンボンド不織布、合成繊維の配合された紙、パルプ繊維で構成された低クレープ性の紙等である。コアラップシート５の厚み及び坪量は、それぞれ、前記透明性と強度とのバランス等を考慮して適宜設定することができる。コアラップシート５の無荷重下における厚みは、好ましくは０．０５〜０．１５ｍｍ、更に好ましくは０．０８〜１．２ｍｍである。コアラップシート５の坪量は、好ましくは１０〜３０ｇ／ｍ2、更に好ましくは１３〜２０ｇ／ｍ2である。
【００３１】
表面シート２、コアラップシート５（表面シート２と吸収性コア４との間に位置するコアラップシート５）に関し、一般的な紙（湿式抄紙法で得られるシート状物）は、繊維と繊維が詰まっていて隙間がないため、該紙に比較して隙間のある（エアスルー）不織布等と同坪量であっても透明性が低いが、１３〜２０ｇ／ｍ2程度の低坪量紙であれば、クレープも低く、吸収性コア４の肌当接面（上面）上に配置することができる。一方、クレープの大きな紙（クレープ率１０％以上）は、坪量が多く凹凸による光の散乱から低クレープな低坪量紙より透明性が低いため、表面シート２、コアラップシート５（表面シート２と吸収性コア４との間に位置するコアラップシート５）としては好ましくない。また、これに関連して、隙間４１を介しての裏面シート３の視認性の向上の観点から、表面シート２と吸収性コア４との間にコアラップシート以外の構成部材を配置する場合、該構成部材としては、構成繊維間が詰まっている紙を使用しないことが好ましい。
【００３２】
第１実施形態においては、ナプキン１の肌当接面（表面シート２の肌当接面２ａ）を目視したときに隙間４１を介して視認される、裏面シート３の色調（色彩の濃淡、明暗、強弱等）が、該隙間４１全体で一様ではない。即ち、図１に示す如きナプキン１の肌当接面側の目視による平面視において、隙間４１から視認される裏面シート３の色調は、該平面視で視認可能な隙間４１の全体で同じではなく、部分的に異なっている。更に、第１実施形態においては、前述したように、コアラップシート５が吸収性コア４の幅方向中央部で重ね合わされているため、その重ね合わされた部分に位置する隙間４１から視認される裏面シート３の色調は、仮に裏面シート３の色調（隙間４１を介さずに裏面シート３を直視したときの色調）が同じであっても、異なって見える。
【００３３】
このような、ナプキン１の肌当接面側の平面視における、隙間４１を介しての裏面シート３の非一様な色調は、隙間４１の位置及び形状；ナプキンの装着時に裏面シート３よりも肌側に配されるナプキン構成部材（表面シート２、コアラップシート５等）の、隙間４１に対応する部分の透明性；裏面シート３の色調等に左右される。また、裏面シート３の色調は、裏面シート３に施されている色彩の色相やその濃度、図柄の密集度等に左右される。従って、これらの因子を適宜調整することによって、前述した、隙間４１を介しての裏面シート３の非一様な色調が得られる。隙間４１を介しての裏面シート３の非一様な色調に影響を及ぼす因子のうち、裏面シート３以外の因子については前述した通りであり、以下に、裏面シート３について説明する。
【００３４】
図３には、第１実施形態のナプキン１が備えている裏面シート３の肌当接面３ａ（吸収性コア４との対向面）が模式的に示されている。尚、図３に示す裏面シートの肌当接面のデザイン（図柄が施されていないデザイン）は参考例である。また、図３では、説明容易のため、吸収性コア４（吸収部材４０）を二点破線で示しているが、実際の裏面シート３の肌当接面３ａには、このような、吸収性コア４の存在を示す図柄は存在していない。第１実施形態においては、裏面シート３の色彩は、該裏面シート３における前記排泄部対向部に対応する部分（平面視において前記排泄部対向部と重なる部分）よりも、該部分の周囲の方が相対的に濃くなっている。より具体的には、裏面シート３の肌当接面３ａに、印刷により肌当接面３ａの地色（通常は白色）以外の色彩が付与されており、図３に示すように、裏面シート３の中心から周縁に向かうに従って肌当接面３ａの色彩が徐々に濃く鮮明になるように、放射状に色彩のグラデーションがかけられており、これにより、肌当接面３ａの色調が該肌当接面３ａ全体で非一様となっている。この色彩のグラデーションにおいては、裏面シート３の中心から遠ざかるほど、色彩の濃度が高く、従って、肌当接面３ａの周縁部（図３において斜線を付した部分）の方が、その内方に位置する中央部（図３において斜線を付していない部分）よりも、色彩が濃く鮮明であり、特に、ナプキン長手方向Ｘの前後端部は、ナプキン幅方向Ｙの両側縁部よりも色彩が濃く鮮明である。肌当接面３ａの色彩のグラデーションにおいて色彩の濃度が最も低い部分である、裏面シート３の中央部は、肌当接面３ａの地色（白色）、又は地色以外の色彩で且つその濃度が低いものとすることができる。
【００３５】
第１実施形態のナプキン１においては、裏面シート３がこのように構成されていることによって、ナプキンの装着時に裏面シート３よりも肌側に配されるナプキン構成部材（表面シート２、吸収性コア４、コアラップシート５）が前述の通り構成されていることと相俟って、図１に示す如きナプキン１の肌当接面側の平面視において、隙間４１を介して視認される、裏面シート３の色調は、隙間４１の各部で異なっている。より具体的には、ナプキン１（裏面シート３）の周縁に近い隙間ほど、裏面シート３の色彩が濃く見え、特に、ナプキン長手方向Ｘの前端側に位置する隙間４１の前端部４１ａ、及び後端側に位置する隙間４１の後端部４１ｂは、両端部４１ａ，４１ｂよりもナプキン長手方向Ｘの内方に位置する、該隙間４１の長手方向中央部４１ｃに比して、裏面シート３の色彩が濃く見え、視認され易い。このように、裏面シート３の色彩が相対的に濃く見える、隙間４１の両端部４１ａ，４１ｂは、前記排泄部対向部を挟んでナプキン長手方向Ｘの前後に位置している。
【００３６】
裏面シート３の肌当接面３ａに印刷によって施される色彩は、隙間４１を介しての視認性の向上の観点から、濃い色相のものが好ましい。この点について、下記の手順で、吸収性コアにおける複数の吸収部材間の隙間を介して見える、裏面シートの色相の評価を行った。
【００３７】
即ち、図１及び図２に示す如き基本構成の吸収性物品（生理用ナプキン）から表面シートを取り除いた状態において、吸収性コア（コアラップシートを含む）を介して見える裏面シートの色相を評価した。裏面シートとして、印刷を施したフィルム材料を使用する際は、日本電色工業（株）のハンディ型簡易分光色差計ＮＦ３３３（測定径８ｍｍ）に付属の標準白色板の上面に材料を配して評価できるが、東洋インキ製「ＴＯＹＯ９４  ＣＯＬＯＲ  ＦＩＮＤＥＲ  １０５０」を使用した。使用した色見本は、ＣＦ００７１（赤系１）、ＣＦ００８２（赤系２）、ＣＦ０１７７（黄系１）、ＣＦ０１７２（黄系２）、ＣＦ０２８５（緑系１）、ＣＦ０２７３（緑系２）、ＣＦ０４１４（青系１）、ＣＦ０４２１（青系２）を選択した。前記各系色において、１より２の方が淡色であり、Ｌ値が高い。また、「個々に独立した複数の吸収部材を含んで構成され、隣接する該吸収部材の間に隙間を有する吸収性コア」としては、実際のものを使用しても良いが、吸収性コアモデルとして、１辺が１０ｍｍの矩形の切り抜き部を形成したパルプ原紙（ウエハウザー製、坪量２８５ｇ／ｍ2、厚み１．２５ｍｍ）を使用した。このパルプ原紙（吸収性コアモデル）の上下面それぞれにコアラップシートを重ね、更にパルプ原紙の下面側に配されたコアラップシートの下面に前記色見本のうちの１つを重ねることで測定サンプルとし、該測定サンプルについて、前述した方法に準じて、前記切り抜き部を介してＬ*値、ａ*値、ｂ*値をそれぞれ測定した。測定結果を下記表１に示す。表１中、間隔Ｗ１は、吸収部材間の隙間の幅（図１参照）に相当し、透明度は、吸収部材間の隙間における上下のコアラップシートについての透明度ＴPに相当し、コアラップ間隔Ｔは、吸収性コアの厚みに相当する。また、視認性評価は、当初観察者３人による評価印象をまとめた結果であり、ａ*値及びｂ*値が、「コアラップシートなし」（基準）と符号（正又は負）が同じで且つａ*値、ｂ*値の何れか一方でも絶対値が１０以上の場合が◎、ａ*値及びｂ*値が前記基準と同符号で且つａ*値、ｂ*値の何れか高い方の絶対値が５〜１０の場合が○、ａ*値、ｂ*値の何れか一方が絶対値で５〜１０であり且つ他方が前記基準と異なる符号であるか、あるいはａ*値、ｂ*値の何れか高い方の符号が前記基準に対して変化しておらず且つ絶対値で３〜５の場合が△、ａ*値及びｂ*値の絶対値が３以下であるか、あるいはａ*値又はｂ*値の符号が前記基準と異なり且つ絶対値で３以上の場合が×であった。
【００３８】
【表１】
0005513874.tif 000002
【００３９】
表１に示す結果より、裏面シートのＬ*値は４５以上が好ましく、４５未満では視認性が悪い。一方、コアラップ間隔Ｔが大きくなるほど（即ち吸収性コアの厚みが増すほど）、視認性は低下するが、所定のコアラップ間隔Ｔ（０ｍｍ、１５ｍｍ、２５ｍｍ）におけるＬ*値と「コアラップシートなし」（基準）におけるＬ*値との差の絶対値である、ΔＬが３５以下であれば良く、ａ*値又はｂ*値の符号が変わらず、好ましくは４以上、より好ましくは６以上であれば良い。即ち、裏面シート（裏面シート３の肌当接面３ａ）の色相としては、Ｌ*値が低い青系や緑系の寒色よりは、赤や黄色の暖色が好ましく、その中でもａ*値又はｂ*値が４０以上、より好ましくは５０以上である濃色系が好ましい。
【００４０】
また、間隔Ｗ１（吸収性コアを構成する複数の吸収部材間の隙間）による差は見られないが、コアラップ間隔Ｔ（吸収性コアの厚み）が広くなるほど裏面シートが暗くなることで視認性が低下すると考えられることから、吸収性コアのナプキン幅方向に沿う断面形状（吸収性コアを構成する複数の吸収部材間の隙間の、ナプキン幅方向に沿う断面形状）は、間隔Ｗ１の最小位置より表面シート側に向かって該間隔Ｗ１が大きくなる形状が好ましい。例えば、隙間４１のナプキン幅方向に沿う断面形状は、裏面シート３側から表面シート２側に向かって漸次増大していくことが好ましい。
【００４１】
裏面シート３の肌当接面３ａへの色彩の印刷方法としては、特に制限されず、例えばスクリーン印刷法、インクジェット印刷法、グラビア印刷法、フレキソ印刷法、平版印刷等の公知の印刷方法を用いることができる。
【００４２】
裏面シート３としては、当該技術分野において従来用いられている各種のものを特に制限なく用いることができる。特に、裏面シート３に印刷によって色彩や図柄を施す場合には、印刷された色彩や図柄の鮮明性、延いては線状の溝部５を介しての視認性の向上の観点から、裏面シート３としては、高白色度を有する透湿性シートが好ましい。ここで、高白色度を有するとは、白色度が８０以上、好ましくは９０以上の場合を意味する。該白色度は、前述した背黒色値ＬB等の測定方法に準じ、測定径８ｍｍの先端径を使用した色差計測（標準白色板）のＬ*値で規定するシートの白色度を意味する。また、透湿性シートは、ＪＩＳ透湿度試験方法（Ｚ０２０８、カップ法４０℃）で規定する透湿度が２４０ｇ／ｍ2・２４ｈｒ以上、好ましくは７２０ｇ／ｍ2・２４ｈｒ以上のシートである。高白色度を有する透湿性シートの具体例としては、硫酸バリウムや炭酸カルシウム等の粒状物をフィルム形成用樹脂に混合後、その混合物を延伸して得られるポリエチレン製フィルム等が挙げられる。裏面シート３の坪量は、好ましくは１５〜５０ｇ／ｍ2、更に好ましくは２０〜４０ｇ／ｍ2である。
【００４３】
第１実施形態のナプキン１は、通常のこの種の生理用ナプキンと同様に下着に装着して使用する。第１実施形態のナプキン１は、その肌当接面（表面シート２の肌当接面２ａ）を目視したときに、隙間４１を介して裏面シート３の色彩が視認可能であるため、吸収性コア４が隙間４１を有していることなど、吸収性コア４の平面視における形状等が使用者に認識され易く、これにより、装着時の位置合わせを容易に行うことができる。また、吸収性コア４が隙間４１を有していることは、装着時に使用者の身体に対してある程度独立的に追従可能な個々の吸収部材４０の存在を使用者に想起させ、これにより、使用者にフィット性や防漏性等の機能に対する安心感を与えることができる。
【００４４】
また、第１実施形態のナプキン１は、隙間４１を介して視認される、裏面シート３の色調が、該隙間４１の全体で一様ではなく、部分的に異なっているため、装着時の位置合わせを特に容易に行うことができる。即ち、第１実施形態のナプキン１は、図１に示す如き肌当接面の平面視において、ナプキン長手方向Ｘの前端部から後端部に亘って延びる帯状の隙間４１のうち、前記排泄部対向部（図示せず）を挟んでナプキン長手方向Ｘの前後に位置する、前端部４１ａ及び後端部４１ｂが、前記排泄部対向部を跨いでいる、該隙間４１の他の部分（長手方向中央部４１ｃ）よりも、裏面シート３の色彩がより認識され易くされているため、前記排泄部対向部の存在及びその前後方向が使用者に認識され易く、これにより、ナプキン装着時の位置合わせを容易に行うことができ、またこの作用効果に伴って、使用者にフィット性や防漏性等の機能に対する安心感を与えることができる。
【００４５】
以下に、本発明の生理用ナプキンの他の実施形態について図４〜図１０を参照して説明する。後述する他の実施形態については、前述した第１実施形態と異なる構成部分を主として説明し、同様の構成部分は同一の符号を付して説明を省略する。特に説明しない構成部分は、第１実施形態についての説明が適宜適用される。
【００４６】
図４は、本発明の生理用ナプキンの第２実施形態である生理用ナプキンが備えている裏面シートの一面（肌当接面）を模式的に示す平面図である。第２実施形態のナプキンは、裏面シート３の肌当接面３ａのデザインが第１実施形態と異なる。第２実施形態においては、裏面シート３の肌当接面３ａの略全域に、個々に独立した多数のハート型の図柄３１ａが印刷により施されている。図柄３１ａの色彩は、裏面シート３の肌当接面３ａの地色（通常は白色）とは異なる色彩である。図柄３１ａの色彩としては暖色系のものが好ましく、第１実施形態において裏面シート３の肌当接面３ａに印刷によって施される色彩と同様のものを採用することができる。
【００４７】
多数の図柄３１ａは、裏面シート３の肌当接面３ａにおいて、図４に示すように、隙間４１の延びる方向（ナプキン長手方向Ｘ）と交差する方向Ｚに所定間隔を置いて列をなすように配置されており、該列が、方向Ｚと直交する方向に所定間隔を置いて多数本配置されて、第２実施形態に係る肌当接面３ａの印刷パターンを形成している。このように、多数の図柄３１ａが隙間４１の延びる方向Ｘと交差する方向Ｚに列をなしていると、多数の図柄３１ａが隙間４１の延びる方向Ｘと平行に列をなしている場合に比して、隙間４１と図柄３１ａとが重なる確率が高まるため、ナプキン１の肌当接面の平面視における、隙間４１を介しての裏面シート３（図柄３１ａ）の視認性が一層高まる。
【００４８】
隣接する図柄３１ａ，３１ａ間は、吸収性コア４における吸収部材４０の幅Ｗ２（図１参照）よりも狭く形成されていることが好ましく、図柄３１ａ，３１ａ間の距離は、好ましくは１〜１５ｍｍ、更に好ましくは３〜１０ｍｍである。また、図柄３１ａの単位面積（２５ｃｍ2）当たりの個数は、好ましくは２〜１００個、更に好ましくは１０〜５０個である。図柄３１ａの大きさは、その視認性を高める観点から、直径３〜１５ｍｍ、特に直径５〜１０ｍｍの円に内接される程度が好ましい。
【００４９】
また、図柄３１ａの平面視における形状は、ハート型に限定されず、例えば四葉、筆記体様アルファベット、複数の幾何学図形を組み合わせたクラスター体等とすることができ、また、異なる２種以上の形状を組み合わせても良い。但し、ナプキン１の肌当接面側からの隙間４１を介しての視認性を向上させる観点から、その平面視における形状は、例えば星型のような、角部が尖った形状（一部を見ただけでは全体形状を認識（想起）し難い形状）よりも、ハート型のような、角部が丸みを帯びた形状が好ましい。
【００５０】
第２実施形態によっても第１実施形態と同様の効果が奏される。第２実施形態のナプキンは、その肌当接面側を目視したときに、裏面シート３の肌当接面３ａに施された図柄３１ａが隙間４１を介して視認可能であるため、吸収性コア４が隙間４１を有しているということが使用者に認識され易く、これにより、装着時の位置合わせを容易に行うことができ、また、使用者にフィット性や防漏性等の機能に対する安心感を与えることができる。
【００５１】
図５は、本発明の生理用ナプキンの第３実施形態である生理用ナプキンの図１相当図である。第３実施形態のナプキン１は、吸収性コア６の構成が第１実施形態と異なる。以下に、第３実施形態に係る吸収性コア６について、図６〜図９を参照して説明する。
【００５２】
吸収性コア６は、図５及び図６に示すように、個々に独立した複数の吸収部材６０と、伸縮性を有する基盤シート６５とを含んで構成されている。複数の吸収部材６０は、基盤シート６５の一面６５ａに固定されている。基盤シート６５の一面６５ａは、吸収性コア６の肌当接面を形成する面である。
【００５３】
複数の吸収部材６０は、基盤シート６５の一面６５ａにおいて、ナプキン長手方向Ｘ及び幅方向Ｙの両方向それぞれに所定間隔Ｗ１を置いて列をなすように配置され、隣接する吸収部材６０，６０の間に隙間６１（前記薄肉部）が形成されている。隙間６１においては、基盤シート６５の一面６５ａが露出している。図１に示すように、隙間６１は、吸収性コア６のナプキン長手方向Ｘの全長に亘って連続していると共に、吸収性コア６のナプキン幅方向Ｙの全長に亘って連続している。即ち、隙間６１は、ナプキン長手方向Ｘ及びナプキン幅方向Ｙの両方向に延びて形成されている。このように、隙間６１が吸収性コア６の全幅に亘って連続していると、吸収性コア６の柔軟性が向上する（吸収性コア６が、ナプキン幅方向Ｙに延びる隙間６１に沿ってナプキン長手方向Ｘに折れ曲がり易くなる）と共に、装着時に使用者の身体に対してある程度独立的に追従可能な個々の吸収部材６０の存在を使用者に想起させ、これにより、使用者にフィット性や防漏性等の機能に対する安心感を与えることができる。また、裏面シートの図柄がより認識され易く、ナプキンの位置情報に加え、情緒的な安心感も付与される。
【００５４】
吸収部材６０は、図６に示すように、平面視において四隅が丸みを帯び且つ四辺が外方に若干凸状の緩やかな曲線となっている矩形の形状をしている。しかしながら、吸収部材６０の平面視における形状はこれに限られない。例えば、吸収部材６０は平面視において、円形、正方形、長方形、菱形の形状であり得る。また、これらの形状を２種以上組み合わせたものであっても良い。吸収部材６０としては、第１実施形態における吸収部材４０と同様のものを用いることができる。吸収部材シート６０の坪量は、好ましくは５０〜４００ｇ／ｍ2、更に好ましくは１００〜３００ｇ／ｍ2である。
【００５５】
吸収性コア６において、隣接する吸収部材６０，６０間の間隔Ｗ１、吸収部材６０の幅Ｗ２、間隔Ｗ１と幅Ｗ２との比（Ｗ１／Ｗ２）は、それぞれ、第１実施形態と同様にすることができる。また、吸収部材６０の単位面積（２５ｃｍ2）当たりの個数は、好ましくは３〜２５個、更に好ましくは５〜１５個である。
【００５６】
複数の吸収部材６０が固定される基盤シート６５は、シート状の材料であり、平面内の少なくとも一方向に伸縮性を有するものである。基盤シート６５は、吸収性コア６に伸縮性を付与する部位である。伸縮性とは、伸長させることができ、かつ伸長した状態を解除することで収縮することができる性質を言う。基盤シート６５は、少なくともナプキン長手方向Ｘ及び幅方向Ｙの２方向に伸縮性を有しており、該基盤シート６５を各方向Ｘ，Ｙに伸縮させることによって、隙間６１が各方向Ｘ，Ｙに拡縮可能になされている。尚、基盤シート６５は、単層のシートでも良く、複数のシートどうしを接合してなる多層の積層シートであっても良い。
【００５７】
吸収部材６０は、基盤シート６５を伸縮させても形状が変化しないような態様で、固定点６２を介して基盤シート６５に固定されている。図７において、固定点６２は太線で便宜的に示されている。基盤シート６５を伸縮させても吸収部材６０の形状が変化しないようにするためには、吸収性コア６が固定点６２において伸縮性を発現していないことが有利である。固定点６２が伸縮性を発現していないことによって、基盤シート６５を伸縮させても、固定点６２においては、基盤シート６５は伸縮しない。その結果、固定点６２を介して基盤シート６５に固定されている吸収部材６０は、基盤シート６５の伸縮の影響を受けず、基盤シート６５の伸縮によって形状は変化しない。吸収部材６０の形状が変化しないことによって、吸収性コア６が伸縮しても、吸収性能の変化が起こり難く、ナプキン１の使用期間にわたり安定した吸収性能を発現することが可能となる。
【００５８】
固定点６２において吸収性コア６が伸縮性を発現しないようにするためには、例えば固定点６２を超音波エンボスによって形成し、基盤シート６５の伸縮性を失わせればよい。また、ホットメルト接着剤等の接着剤によって固定点６２を形成することでも、基盤シート６５の伸縮性を失わせることができる。
【００５９】
吸収性コア６においては、前述の通り、固定点６２は伸縮性を発現していない。換言すれば、吸収性コア６において伸縮性を発現する部位は、固定点６２，６２間の部位のみである。つまり、図８（ａ）に示すように、自然状態（弛緩状態）の吸収性コア６をその平面方向に伸長させると、図８（ｂ）に示すように、固定点６２，６２間の部位のみが伸長する。このとき、吸収部材６０の形状に変化はない。そして、図８（ｂ）に示すように伸長状態になっている吸収性コア６の伸長状態を解くと、固定点６２，６２間の部位のみが収縮し、吸収部材６０の形状に変化はない。吸収性コア６は、このような伸縮特性を有していることによって、ナプキン１の使用者の体型への適合性及び動作追従性に優れたものとなる。
【００６０】
図９は、吸収性コア６を平面視したときの吸収部材６０と固定部６２との位置関係を示すものである。同図から明らかなように、平面視において、吸収部材６０の輪郭線内に、固定点６２の輪郭線が包含されるようになっており、また図７から明らかなように、吸収部材６０が固定点６２上に位置している。その結果、吸収部材６０は、固定点６２よりも平面方向の外方へ張り出した張り出し部６３を有する形状となっている。張り出し部６３は、基盤シート６５から離間しているか、又は張り出し部６３の下面が基盤シート６５と接している。何れの場合でもあっても、張り出し部６３においては、吸収部材６０は基盤シート６５に固定されていない。吸収部材６０がこのような張り出し部６３を有していることによって、固定点６２の形成に起因する基盤シート６５の伸縮性の喪失面積を可能な限り小さくして、該基盤シート６５の良好な伸縮性を保ちつつ、吸収部材６０の総面積を可能な限り大きくして、吸収性コア６の吸収性能を高めることができる。基盤シート６５の良好な伸縮性が保たれることは、ナプキン１の使用者の体型への適合性及び追従性が向上するという効果につながる。吸収部材６０の総面積を可能な限り大きくすることは、吸収性コア６の伸長時においても隣り合う吸収部材６０，６０間の距離があまり大きくならず、吸収性能が低下しにくいという効果につながる。
【００６１】
基盤シート６５としては、伸縮性を有するシートを用いることができる。そのようなシートとしては、例えば、弾性樹脂を含む繊維を構成繊維として含む不織布（弾性不織布）や、弾性樹脂を含むフィルム（弾性フィルム）や、発泡等の手段によって構造中に３次元ネットワークを形成させた弾性樹脂からなる弾性多孔質体などを挙げることができる。弾性不織布や弾性フィルムや弾性多孔質体としては、当該技術分野において公知のものを用いることができる。
【００６２】
基盤シート６５の伸縮性の程度は、下記方法で測定される伸縮率が５％以上、特に８％以上であることが、ナプキン１の使用者の体型への適合性及び動作追従性が特に良好になる点から好ましい。
【００６３】
＜伸縮率の測定方法＞
引張圧縮試験機ＲＴＣ−１２１０Ａ（株式会社東洋オリエンテック）を用いて、引張モードで測定する。先ず、基盤シート６５を幅２５ｍｍ×長さ１５０ｍｍで裁断し測定片を採取する。測定片を引張圧縮試験機に装着されたエアーチャック間に初期試料長（チャック間距離）１００ｍｍセットし、引張圧縮試験機のロードセル（定格出力５ｋｇ）に取り付けられたチャックを３００ｍｍ／分の速度で上昇させて、測定片を伸長させる。測定片が初期試料長の５０％、つまり５０ｍｍ伸びた時点で、チャックの移動方向を逆転させ、チャックを３００ｍｍ／分の速度で下降させ、初期試料長の位置まで戻す。この間の操作で、ロードセルで検出される荷重と、測定片の伸びとの関係をチャートに記録し、このチャートに基づき次式（１）から伸縮率を求める。  伸縮率＝回復伸び／最大伸び長さ（＝５０ｍｍ） （１）  ここで、回復伸びは、最大伸び長さ（＝５０ｍｍ）からチャックを下降させて、初めて荷重ゼロを記録したときの、最大伸び長さからのチャック移動距離で定義される。
【００６４】
尚、前記＜伸縮率の測定方法＞において、測定片が前述の大きさに満たない場合、次の方法で測定する。  試験片：シートのチャック間方向の長さをＬｍｍ、把持部分の長さをＳｍｍ、幅をＣｍｍとすると、長さの比；Ｌ：Ｃ＝３：５になるように、試験片（Ｌ＋２Ｓ）ｍｍ×Ｃｍｍの大きさに裁断し測定片を採取する。  試験：引張圧縮試験機に、チャック間距離Ｌで試験片をセットし、１００×（Ｌ／３０）ｍｍ／分、測定片が初期試料長の５０％伸張するまで上昇。その後チャックの移動方向を逆転させ、チャックを１００×（Ｌ／３０）ｍｍ／分の速度で下降させ、初期試料長の位置まで戻す。次式（２）で計算する。  伸縮率＝回復伸び／最大伸び長さ（＝Ｌ／２ｍｍ） （２）
【００６５】
また、基盤シート６５は、第３実施形態のナプキン１に前記透明性を付与する観点から、透明性の高いものが好ましく、より具体的には、透明度Ｔｐが２０〜９０、特に３０〜８０であることが好ましい。基盤シート６５としては、裏面シート３と同様のものを用いることができ、前述した、高白色度を有する透湿性シートが好ましく用いられる。
【００６６】
基盤シート６５としては、伸縮率並びに透明度Ｔｐがそれぞれ前記範囲内にあり且つ液透過性のものが好ましい。基盤シート６５として好適なものは、例えば、ポリウレタン、ブタジエン等のジエン系材料によるシートやネット等である。基盤シート６５の厚み及び坪量は、それぞれ、前記透明性と強度とのバランス等を考慮して適宜設定することができる。基盤シート６５の無荷重下における厚みは、好ましくは０．０５〜０．８ｍｍ、更に好ましくは０．１〜０．５ｍｍである。基盤シート６５の坪量は、好ましくは１２〜３０ｇ／ｍ2、更に好ましくは１５〜２５ｇ／ｍ2である。
【００６７】
第３実施形態の吸収性コア６は、本出願人の先の出願に係る特開２００９−１３６４９８号公報に記載の方法に従って製造することができる。該公報に記載の伸縮性吸収体は、吸収性コア６として好適に使用することができる。
【００６８】
また、第３実施形態においては、裏面シート３の色彩は、該裏面シート３における前記排泄部対向部に対応する部分よりも、該部分の周囲の方が相対的に濃くなっている。より具体的には、裏面シート３の肌当接面３ａは、図１０に示すように、相対的に色彩の濃い部分（濃色部分）３５と、相対的に色彩の薄い部分（淡色部分）３６とを有している。濃色部分３５は、肌当接面３ａの所定部位を、印刷により、肌当接面３ａの地色（通常は白色）以外で且つ淡色部分３６よりも濃い色相の色彩で塗り潰した部分であり、平面視において閉じた長楕円形状の環を形成しており、濃色部分３５全体の色調は一様である。環状の濃色部分３５は、肌当接面３ａの略中央に位置しており、該環の中は淡色部分３６であり、該環の中に前記排泄部対向部が存している。濃色部分３５の色彩としてはａ*値又はｂ*値が４０以上、より好ましくは５０以上の濃い色相のものが好ましく、例えば、第１実施形態において裏面シート３の肌当接面３ａに印刷によって施される色彩と同様のものを採用することができる。
【００６９】
裏面シート３の肌当接面３ａにおける、濃色部分３５以外の部分は、淡色部分３６となっている。淡色部分３６は、肌当接面３ａの地色（白色）、又は地色以外の色彩で且つその濃度が濃色部分３５の色彩濃度よりも低いものとすることができる。
【００７０】
このような構成を有する第３実施形態のナプキン１においては、図５に示す如きナプキン１の肌当接面側の平面視において、隙間６１を介して視認される、裏面シート３の色調は、前記排泄部対向部とその周囲とで異なっている。より具体的には、前記排泄部対向部（図示せず）の周囲で且つ裏面シート３の濃色部分３５と重なっている、隙間６１は、裏面シート３の淡色部分３６と重なっている、他の隙間６１よりも、裏面シート３の色彩が濃く見える。これにより、前記排泄部対向部の存在及びその前後方向が使用者に認識され易い。第３実施形態によっても、第１実施形態と同様の効果が奏される。
【００７１】
以上、本発明をその好ましい実施形態に基づき説明したが、本発明は前記実施形態に制限されない。例えば、前記実施形態では、裏面シート３の肌当接面３ａに色彩や図柄が施されていたが、裏面シート３の非肌当接面３ｂに色彩や図柄が施されていても良く、あるいは両面３ａ，３ｂそれぞれに色彩や図柄が施されていても良い。また、同じ色調の色の濃淡だけでなく異なる色調（例えば寒色と暖色）を利用することで、視認性を変化させることができる。また、吸収性コアの厚みを変えず視認性を向上する手段として、吸収性コアの上面（肌当接面）側に配置されるシート（コアラップシート）を吸収性コアの内部に入り込ませることで、吸収性コアの上面側と下面（非肌当接面）側のシートのコアラップ間隔Ｔを小さくし、より薄い吸収性コア（吸収体）に相当する視認性へと変化させることもできる。また、前述した一の実施形態のみが有する部分は、適宜相互に利用できる。
【００７２】
また、ナプキン１の肌当接面側の長手方向に沿った両側部に、該長手方向に延びる一対の立体ギャザーが配されていても良い。立体ギャザーは、例えば、ナプキン１の幅方向の一端部が固定された帯状シートと、該帯状シートの該幅方向の他端部（自由端部）に伸長状態で固定された１本又は複数本の立体ギャザー形成用弾性部材とを具備する構成とすることができる。また、防漏性やフィット性の向上等を目的として、ナプキン１の肌当接面（表面シート２の肌当接面２ａ）における、該ナプキン１の平面視において吸収性コア４と重なる領域に、表面シート２及び吸収性コア４が裏面シート３に向かって一体的に凹陥した、凹陥部（溝部）が形成されていても良い。また、前記実施形態では、本発明の吸収性物品の適用例の一つとして生理用ナプキンを挙げたが、例えば使い捨ておむつ、パンティライナー（おりものシート）、失禁パッド等にも適用できる。
【符号の説明】
【００７３】
１  生理用ナプキン（吸収性物品）
２  表面シート
２ａ  表面シートの肌当接面
３  裏面シート
３ａ  裏面シートの肌当接面
３ｂ  裏面シートの非肌当接面
３５  濃色部分
３６  淡色部分
４，６  吸収性コア
４０，６０  吸収部材
４１，６１  隣接する吸収部材間の隙間
６２  吸収部材の固定点
６５  基盤シート
Ｘ  ナプキン長手方向
Ｙ  ナプキン幅方向
【図１】
0005513874.tif 000003
【図２】
0005513874.tif 000004
【図３】
0005513874.tif 000005
【図４】
0005513874.tif 000006
【図５】
0005513874.tif 000007
【図６】
0005513874.tif 000008
【図７】
0005513874.tif 000009
【図８】
0005513874.tif 000010
【図９】
0005513874.tif 000011
【図１０】
0005513874.tif 000012